(57)【要約】      （修正有）【課題】オイルの揮発を防止することができると共に、ケースの加工を容易にすることができるライターを提供する。【解決手段】上方に開口する開口部を有する細長箱状に形成された本体ケース部１１と、本体ケース部に収容されるライター本体部１２と、本体ケース部にケースヒンジ部１３を介して回動可能に接続され、本体ケース部を上方から被覆閉止しうる蓋ケース部１４とにより構成され、ライター本体部１２は、芯部１５と、芯部の周囲に設けられ芯部が固定された芯ホルダー部１６とを備えたライター１０であり、ライター本体部１２上部には、蓋ケース部１４とは別箇に設けられ、回動軸部１７を介して回動可能に配設されると共に蓋ケース部が閉止された場合には蓋ケース部内に配設されると共に芯部を消火しうるキャップ部１８が設けられている。【選択図】図４
0003203560.tif 000002
【実用新案登録請求の範囲】
【請求項１】
上方に開口する開口部を有する細長箱状に形成された本体ケース部と、前記本体ケース部に収容されるライター本体部と、前記本体ケース部にケースヒンジ部を介して回動可能に接続され、前記本体ケース部を上方から被覆閉止しうる蓋ケース部とにより構成され、前記ライター本体部は、芯部と、前記芯部の周囲に設けられ前記芯部を固定された芯ホルダー部とを備えたライターにおいて、
前記ライター本体部上部には、前記蓋ケース部とは別箇に設けられ、回動軸部を介して回動可能に配設されると共に前記蓋ケース部が閉止された場合には前記蓋ケース部内に配設されると共に前記芯部を消火しうるキャップ部が設けられていることを特徴とするライター。
【請求項２】
前記キャップ部は、前記ライター本体部上部に設けられた前記回動軸部に回動可能に軸着されたアーム部と、前記アーム部の先端部に固定され、消火時には前記芯ホルダー部に当接して前記芯部を内部に収納して消火する前記キャップ本体部とを備え、
前記アーム部には回動係合部が設けられると共に、前記蓋ケース部には、前記蓋ケース部が前記本体ケース部を閉止又は開放するために回動する際に、前記回動係合部に係合して前記アーム部を回動させうるアーム係止部が設けられ、
前記蓋ケース部を回動させた場合には、前記キャップ部が前記蓋ケース部と共に連動して回動することを特徴とする請求項１記載のライター。
【請求項３】
前記ライター本体部には、前記蓋ケース部の閉止時には、前記キャップ本体部を前記芯ホルダー部に当接する方向へ前記アーム部を付勢しうると共に、前記蓋ケース部の開放時には、前記キャップ本体部を前記芯ホルダー部から離間する方向へ前記アーム部を付勢しうるアーム付勢部が設けられていることを特徴とする請求項２記載のライター。
【請求項４】
前記アーム部は全体側面略Ｌ字状に形成され、基端部において前記回動軸部に軸着された基端側アーム部と、前記基端側アーム部の先端部において直交して延設されると共に、前記基端側アーム部と略平行に配置される前記キャップ本体部を先端部に備えた先端側アーム部とからなり、
前記基端側アーム部の基端部にはカム従節部が形成されると共に、前記アーム付勢部は、前記カム従節部に圧接するカム原節部を構成していることを特徴とする請求項３記載のライター。
【請求項５】
前記回動係合部は、前記基端側アーム部と前記先端側アーム部との接合部において前記アーム部の幅方向に突設されると共に、前記アーム係止部は、前記蓋ケース部の開放時及び閉止時に前記回動係合部に係合して前記アーム部を回動させうるように構成されていることを特徴とする請求項４記載のライター。
【請求項６】
前記キャップ本体部は円筒状に形成されると共に、前記先端側アーム部には、常時前記キャップ本体部を先端方向に向かって付勢する付勢部材を介して固定されていることを特徴とする請求項３記載のライター。
【考案の詳細な説明】
【技術分野】
【０００１】
本考案は、ライターに係り、特にオイルの揮発を防止するライターに関するものである。
【背景技術】
【０００２】
一般に、オイルライターは、ライター本体と、ライター本体を着脱可能に収納しうるケースとにより構成されている。このようなオイルライターは、燃料としてオイルを用いるライターであって、毛細管現象によって芯（ウィック）へと上がって来た液体のオイルが芯の先端部で揮発し、気体となったオイルに着火するものである。
【０００３】
従来より、オイルライターは、ケースにメッキ等の表面加工を施して、装飾することが多い。このような装飾は、ライターの使用者の希望に応じて行うことが多いことから、ライターの完成品を購入した後に加工する、いわゆる二次加工によって行うことが一般的である。
具体的には、ライター本体をケースから取り出して、ケースのみを治具に取り付けて固定した上で、メッキ液に浸してメッキしたり、腐食液に浸してエッチングしたり、表面を機械で削ったりして加工する。
【０００４】
ところで、従来の蓋ケース部と本体ケース部とを備えたオイルライターにあって、不使用時に蓋ケース部を閉じた場合であっても、芯そのものは密閉されない。従って、芯からオイルが揮発してしまう結果、オイルの臭気が伴うと共に、こまめにオイルを補充しなければならないという不具合があった。
そこで、前記不具合を解消するために、ケースに芯を被覆するためのキャップを設けたオイルライターが知られている。
【０００５】
しかしながら、ケースにキャップを設けると、前記のような加工の際に、キャップが障害物となってケースを治具に固定することが困難であるという不具合があった。特に、キャップにバネ等の機構を設けた場合にあっては、液体に浸して加工すると、バネ等の機構に侵入して、動作不良が生じる恐れがあった。
【０００６】
本件実用新案登録出願人はこのような観点から先行技術調査を行ったが、前記不具合を解消するような技術は発見できなかった。
【特許文献１】実開昭５４−７３０６７号公報
【特許文献２】実開昭５４−４９２６９号公報
【考案の開示】
【考案が解決しようとする課題】
【０００７】
本考案は、以上のような従来からの不具合を解消するためのものであって、その課題は、オイルの揮発を防止することができると共に、ケースの加工を容易にすることができるライターを提供することにある。
【課題を解決するための手段】
【０００８】
前記課題を解決するために、請求項１に記載の考案にあっては、上方に開口する開口部を有する細長箱状に形成された本体ケース部と、前記本体ケース部に収容されるライター本体部と、前記本体ケース部にケースヒンジ部を介して回動可能に接続され、前記本体ケース部を上方から被覆閉止しうる蓋ケース部とにより構成され、前記ライター本体部は、芯部と、前記芯部の周囲に設けられ前記芯部を固定された芯ホルダー部とを備えたライターにおいて、前記ライター本体部上部には、前記蓋ケース部とは別箇に設けられ、回動軸部を介して回動可能に配設されると共に前記蓋ケース部が閉止された場合には前記蓋ケース部内に配設されると共に前記芯部を消火しうるキャップ部が設けられていることを特徴とする。
【０００９】
従って、前記蓋ケース部が閉止された場合には、前記蓋ケース部とは別箇に設けられた前記キャップ部が回動して前記蓋ケース部内に配設されると共に、前記芯部が消火される。
【００１０】
請求項２に記載の考案にあっては、前記キャップ部は、前記ライター本体部上部に設けられた前記回動軸部に回動可能に軸着されたアーム部と、前記アーム部の先端部に固定され、消火時には前記芯ホルダー部に当接して前記芯部を内部に収納して消火する前記キャップ本体部とを備え、前記アーム部には回動係合部が設けられると共に、前記蓋ケース部には、前記蓋ケース部が前記本体ケース部を閉止又は開放するために回動する際に、前記回動係合部に係合して前記アーム部を回動させうるアーム係止部が設けられ、前記蓋ケース部を回動させた場合には、前記キャップ部が前記蓋ケース部と共に連動して回動することを特徴とする。
【００１１】
従って、前記本体ケース部を閉止又は開放するために前記蓋ケース部を回動させた場合には、前記アーム係止部が前記回動係合部に係合して前記アーム部を回動させることによって、前記キャップ部が前記蓋ケース部と共に連動して回動し、前記キャップ本体部が前記芯ホルダー部に当接して前記芯部を内部に収納して消火する。
【００１２】
請求項３に記載の考案にあっては、前記ライター本体部には、前記蓋ケース部の閉止時には、前記キャップ本体部を前記芯ホルダー部に当接する方向へ前記アーム部を付勢しうると共に、前記蓋ケース部の開放時には、前記キャップ本体部を前記芯ホルダー部から離間する方向へ前記アーム部を付勢しうるアーム付勢部が設けられていることを特徴とする。
【００１３】
従って、前記蓋ケース部を閉止させた場合には、前記アーム付勢部によって前記キャップ本体部を前記芯ホルダー部に当接する方向へ前記アーム部が付勢され、前記蓋ケース部を開放させた場合には、前記アーム付勢部によって前記キャップ本体部を前記芯ホルダー部から離間する方向へ前記アーム部が付勢される。
【００１４】
請求項４に記載の考案にあっては、前記アーム部は全体側面略Ｌ字状に形成され、基端部において前記回動軸部に軸着された基端側アーム部と、前記基端側アーム部の先端部において直交して延設されると共に、前記基端側アーム部と略平行に配置される前記キャップ本体部を先端部に備えた先端側アーム部とからなり、前記基端側アーム部の基端部にはカム従節部が形成されると共に、前記アーム付勢部は、前記カム従節部に圧接するカム原節部を構成していることを特徴とする。
【００１５】
従って、前記カム従節部は前記アーム部の回動に連動して回動することによって、前記カム原節部に圧接する部位が変化し、それに伴い、前記カム原節部を構成する前記アーム付勢部は、前記カム原節部と圧接する前記カム従節部を圧接方向と反対方向へ回動させるように付勢する。
【００１６】
請求項５に記載の考案にあっては、前記回動係合部は、前記基端側アーム部と前記先端側アーム部との接合部において前記アーム部の幅方向に突設されると共に、前記アーム係止部は、前記蓋ケース部の開放時及び閉止時に前記回動係合部に係合して前記アーム部を回動させうるように構成されていることを特徴とする。
【００１７】
従って、前記蓋ケース部を開放又は閉止させた場合には、前記アーム係止部が前記アーム部の幅方向に突設された前記回動係合部に係合することによって前記アーム部を回動させる。
【００１８】
請求項６に記載の考案にあっては、前記キャップ本体部は円筒状に形成されると共に、前記先端側アーム部には、常時前記キャップ本体部を先端方向に向かって付勢する付勢部材を介して固定されていることを特徴とする。
【００１９】
従って、前記蓋ケース部の閉止時には、前記キャップ本体部は、前記付勢部材によって、前記キャップ本体部が前記芯ホルダー部に当接する方向へ付勢される。
【考案の効果】
【００２０】
請求項１に記載のライターにあっては、前記蓋ケース部が閉止された場合には、前記蓋ケース部とは別箇に設けられた前記キャップ部が回動して前記蓋ケース部内に配設されると共に前記芯部が消火されるので、前記キャップ部によって前記芯部を被覆することができ、その結果、前記芯部からのオイルの揮発を確実に防止することができる。
また、請求項１に記載のライターにあっては、前記キャップ部が前記蓋ケース部とは別箇に設けられているので、前記ライター本体部と、前記本体ケース部及び蓋ケース部とを分離することができる。その結果、ケースの加工を容易にすることができるライターを提供することができる。
【００２１】
請求項２に記載のライターにあっては、前記本体ケース部を閉止又は開放するために前記蓋ケース部を回動させた場合には、前記アーム係止部が前記回動係合部に係合して前記アーム部を回動させることによって、前記キャップ部が前記蓋ケース部と共に連動して回動し、前記キャップ本体部が前記芯ホルダー部に当接して前記芯部を内部に収納して消火するので、前記キャップ部を前記蓋ケース部と独立して回動させる必要がなく、前記蓋ケース部の回動動作のみを行うことによって前記キャップ部を連動して回動させ、前記芯部を消火することができる。
【００２２】
請求項３に記載のライターにあっては、前記蓋ケース部を閉止させた場合には、前記アーム付勢部によって前記キャップ本体部を前記芯ホルダー部に当接する方向へ前記アーム部が付勢されるので、前記キャップ本体部を前記芯ホルダー部に当接した状態を維持することができ、その結果、前記芯部からのオイルの揮発を効果的に防止することができる。
また、請求項３に記載のライターにあっては、前記蓋ケース部を開放させた場合には、前記アーム付勢部によって前記キャップ本体部を前記芯ホルダー部から離間する方向へ前記アーム部が付勢されるので、前記キャップ本体部を前記芯ホルダー部から離間した状態を維持することができ、その結果、例えば、前記芯部を着火して使用する際に、前記キャップ本体部が邪魔になるといった事態を防止することができる。
【００２３】
請求項４に記載のライターにあっては、前記カム従節部は前記アーム部の回動に連動して回動することによって、前記カム原節部に圧接する部位が変化し、それに伴い、前記カム原節部を構成する前記アーム付勢部は、前記カム原節部と圧接する前記カム従節部を圧接方向と反対方向へ回動させるように付勢するので、前記アーム部を回動させることによって、前記キャップ本体部を前記芯ホルダー部に当接又は離間する、夫々異なる方向へと前記アーム部を付勢することができる。
【００２４】
請求項５に記載のライターにあっては、前記蓋ケース部を開放又は閉止させた場合には、前記アーム係止部が前記アーム部の幅方向に突設された前記回動係合部に係合することによって前記アーム部を回動させるので、前記アーム係止部が前記ライター本体部に干渉することなく、前記アーム部を確実に回動させることができる。
【００２５】
請求項６に記載のライターにあっては、前記蓋ケース部の閉止時には、前記キャップ本体部は、前記付勢部材によって前記キャップ本体部が前記芯ホルダー部に当接する方向へ付勢されるので、前記芯部を前記キャップ本体部によって確実に収納して消火することができる。
【図面の簡単な説明】
【００２６】
【図１】図１は、本考案に係るライターの一実施の形態において、キャップ部を視認可能な状態として描いた側面図である。
【図２】図２は、本考案に係るライターの一実施の形態において、蓋ケース部を開放し、芯部を視認可能な状態として描いた側面図である。
【図３】図３は、本考案に係るライターの一実施の形態を示し、蓋ケース部を開放した状態において、キャップ本体部の断面構造を示した側面図である。
【図４】図４は、本考案に係るライターの一実施の形態を示し、蓋ケース部を閉止又は開放する途中の状態において、キャップ本体部の断面構造を示した側面図である。
【図５】図５は、本考案に係るライターの一実施の形態を示し、蓋ケース部を完全に閉止した状態において、キャップ本体部の断面構造を示した側面図である。
【考案を実施するための最良の形態】
【００２７】
以下、添付図面に示す実施の形態に基づき、本考案を詳細に説明する。
図１〜図５に示すように、本考案の一実施の形態に係るライター１０は、上方に開口する開口部を有する細長箱状に形成された本体ケース部１１と、本体ケース部１１に収容されるライター本体部１２と、本体ケース部１１にケースヒンジ部１３を介して回動可能に接続され、本体ケース部１１を上方から被覆閉止しうる蓋ケース部１４とにより構成されている。
また、図２〜図５に示すように、本実施の形態に係るライター本体部１２は、芯部１５と、芯部１５の周囲に設けられ、芯部１５を固定する芯ホルダー部１６とを備えている。
また、図１〜図５に示すように、本実施の形態に係るライター本体部１２の上部には、蓋ケース部１４とは別箇に設けられ、回動軸部１７を介して回動可能に配設されると共に、蓋ケース部１４が閉止された場合には蓋ケース部１４内に配設されると共に芯部１５を消火しうるキャップ部１８が設けられている。
【００２８】
また、図１〜図５に示すように、本実施の形態に係るキャップ部１８は、ライター本体部１２上部に設けられた回動軸部１７に回動可能に軸着されたアーム部１９と、アーム部１９の先端部に固定され、消火時には芯ホルダー部１６に当接して芯部１５を内部に収納して消火するキャップ本体部２０とを備えている。
また、図１〜図５に示すように、本実施の形態に係るアーム部１９には回動係合部２１が設けられると共に、蓋ケース部１４には、蓋ケース部１４が本体ケース部１１を閉止又は開放するために回動する際に、回動係合部２１に係合してアーム部１９を回動させうるアーム係止部２２が設けられ、蓋ケース部１４を回動させた場合には、キャップ部１８が蓋ケース部１４と共に連動して回動するように構成されている。
【００２９】
また、図１〜図５に示すように、本実施の形態に係るライター本体部１２には、蓋ケース部１４の閉止時には、キャップ本体部２０を芯ホルダー部１６に当接する方向へアーム部１９を付勢しうると共に、蓋ケース部１４の開放時には、キャップ本体部２０を芯ホルダー部１６から離間する方向へアーム部１９を付勢しうるアーム付勢部２３が設けられている。
【００３０】
また、図１〜図５に示すように、本実施の形態に係るアーム部１９は全体側面略Ｌ字状に形成され、基端部２４において回動軸部１７に軸着された基端側アーム部２５と、基端側アーム部２５の先端部２６において直交して延設されると共に、基端側アーム部２５と略平行に配置されるキャップ本体部２０を先端部２７に備えた先端側アーム部２８とからなる。
また、図１〜図５に示すように、本実施の形態に係る基端側アーム部２５の基端部２４にはカム従節部２９が形成されると共に、アーム付勢部２３は、カム従節部２９に圧接するカム原節部３０を構成している。
【００３１】
また、図１〜図５に示すように、本実施の形態に係る回動係合部２１は、基端側アーム部２５と先端側アーム部２８との接合部２６においてアーム部１９の幅方向に円柱状に突設されると共に、アーム係止部２２は、蓋ケース部１４の開放時及び閉止時に回動係合部２１に係合してアーム部１９を回動させうるように構成されている。
【００３２】
また、図１〜図５に示すように、本実施の形態に係るキャップ本体部２０は円筒状に形成されると共に、芯ホルダー部１６は側面逆テーパー形状を有する円盤状に形成されている。
図３〜図５に示すように、本実施の形態に係るキャップ本体部２０は、先端側アーム部２８には、常時キャップ本体部２０を先端方向に向かって付勢するコイルスプリング３１を介してリベット４０により固定されている。
図３〜図５に示すように、本実施の形態においては、リベット４０の先端部４１が、先端側アーム部２８の先端部２７及びキャップ本体部２０の基端部に、夫々、設けられた通孔４２、４３を貫通して突出し、かしめられることによって、先端側アーム部２８に対してキャップ本体部２０が固定されている。
【００３３】
本実施の形態に係るライター１０の構成について、添付図面を用いてより詳細に説明する。
図１〜図５に示すように、本実施の形態に係るライター本体部１２は、通気孔部３２を有し、芯部１５の側方を所定間隔をおいて被覆する金属製の風防３３と、芯部１５に隣接して設けられたフリント（発火石）３４と、風防３３に連設された軸部３５を中心に回転可能に設けられ、フリント３４との間で摩擦により火花を発生させるフリントホイール３６とを備えている。
【００３４】
また、図１〜図５に示すように、本実施の形態に係るアーム係止部２２は、全体側面コ字状の板材として形成され、基端部３７がケースヒンジ部１３と一体に形成されると共に、蓋ケース部１４の内側面に沿って固定され、先端部３８が爪状に形成され、回動係合部２１に係合するように構成されている。
また、図１〜図５に示すように、本実施の形態に係るアーム付勢部２３は、上方に向かって緩やかに膨出形成された板バネとして形成され、基端部３９が芯ホルダー部１６と共にライター本体部１２に固定されている。
【００３５】
また、図１〜図５に示すように、本実施の形態に係る基端側アーム部２５に形成された基端部２４は、側面略三角形状に形成され、反キャップ本体部側側面部４４と、キャップ本体部側側面部４６と、反キャップ本体部側側面部４４とキャップ本体部側側面部４６とにより形成され回動軸部１７よりも外方に配置される頂部５０とを有している。
図１〜図５に示すように、反キャップ本体部側側面部４４は、アーム付勢部２３と略同一の曲率を有する円弧状に形成され、図２に示すように、キャップ本体部２０を芯ホルダー部１６から離間させた場合に、基端側アーム部２５の反キャップ本体部側側面部４４の一部がアーム付勢部２３に密接するように構成されている。
また、図１〜図５に示すように、本実施の形態に係るカム従節部２９は、アーム付勢部２３に対して突接する突起部として形成され、アーム部１９を回動させた場合には、頂部５０はカム原節部３０を構成するアーム付勢部２３上を圧接しながら摺動するように構成されている。
【００３６】
以下、本実施の形態に係るライター１０の作用について説明する。
図１〜図５に示すように、本実施の形態に係るライター１０を使用する際には、本体ケース部１１を把持した状態で、蓋ケース部１４を、ケースヒンジ部１３を介して回動させることによって、本体ケース部１１を開放する。
この際、図４及び図５に示すように、アーム係止部２２が回動係合部２１に係合してアーム部１９を回動させるので、キャップ部１８が蓋ケース部１４と共に連動して回動し、その結果、図２及び図３に示すように、芯部１５が開放される。その後、フリントホイール３６を回転させることにより、フリント３４との間で摩擦により火花が発生し、芯部１５から揮発したオイルに着火することによって、図３に示すように、炎Ｆを燃やすことができる。
従って、本実施の形態に係るライター１０にあっては、キャップ部１８を蓋ケース部１４と独立して回動させる必要がなく、蓋ケース部１４の回動動作のみを行うことによってキャップ部１８を連動して回動させ、芯部１５を開放し、オイルに着火して使用することができる。
【００３７】
また、図４に示すように、本実施の形態に係るライター１０にあっては、蓋ケース部１４を開放させた場合には、アーム係止部２２がアーム部１９の幅方向に突設された回動係合部２１に係合することによってアーム部１９を回動させるので、アーム係止部２２がライター本体部１２に干渉することなく、アーム部１９を確実に回動させることができる。
【００３８】
また、図４に示すように、本実施の形態に係るライター１０にあっては、蓋ケース部１４を開放させた場合には、カム従節部２９の頂部５０はアーム部１９の回動に連動して、カム原節部３０上を図４中右方へ摺動しながら、カム原節部３０の頂部４５を乗り越える。
すなわち、図５に示すように、蓋ケース部１４の閉止時においては、カム原節部３０は、カム従節部２９のキャップ本体部側側面部４６に当接し、カム原節部３０の頂部５０は、回動軸部１７よりも本体ケース部１１の幅方向外方に位置して、矢印Ａに示すように、アーム付勢部２３の付勢力は図５中上方へ作用することから、アーム付勢部２３の付勢力はアーム部１９を回動軸部１７を中心として時計方向へ回動させる力として作用し、矢印Ｂに示すように、キャップ本体部２０を芯ホルダー部１６へ圧接させている。
一方、図３に示すように、蓋ケース部１４の開放後においては、アーム部１９が回動軸部１７を中心に反時計方向へ回動することにより、頂部５０は図３中右方向へ移動し、回動軸部１７の直下位置を通過して頂部４５を乗り越えた時点でアーム付勢部２３の付勢力によりアーム部１９は反時計方向へ自動的に回動し、その後、カム原節部３０は、カム従節部２９の反キャップ本体部側側面部４４に当接する。
その結果、図３に示すように、カム原節部３０を構成するアーム付勢部２３は、カム従節部２９の反キャップ本体部側側面部４４と圧接し、キャップ本体部２０を芯ホルダー部１６から離間した状態でアーム部１９の位置を固定することができる。
従って、図３に示すように、本実施の形態に係るライター１０にあっては、キャップ本体部２０を芯ホルダー部１６から離間した状態を維持することができ、その結果、例えば、芯部１５を着火して使用する際に、キャップ本体部２０が邪魔になるといった事態を防止することができる。
【００３９】
また、図１〜図５に示すように、本実施の形態に係る基端側アーム部２５は、反キャップ本体部側側面部４４がアーム付勢部２３と略同一の曲率を有する円弧状に形成されているので、図２及び図３に示すように、キャップ本体部２０を芯ホルダー部１６から離間させた場合に、基端側アーム部２５の反キャップ本体部側側面部４４の一部がアーム付勢部２３に密接する。
従って、本実施の形態に係るライター１０にあっては、アーム付勢部２３がアーム部１９を開放状態で支持することができ、その結果、キャップ部１８を開放した状態を安定して維持することができる。
【００４０】
一方、図３に示すように、ライター１０の使用後は、本体ケース部１１を把持した状態で、蓋ケース部１４を、ケースヒンジ部１３を介して回動させることによって、本体ケース部１１を閉止する。
この際、図４に示すように、アーム係止部２２が回動係合部２１に係合してアーム部１９を回動させるので、キャップ部１８が蓋ケース部１４と共に連動して回動し、キャップ本体部２０が芯ホルダー部１６に当接して芯部１５を内部に収納する。その結果、図５に示すように、芯部１５が閉止され、炎Ｆは消火される。
従って、本実施の形態に係るライター１０にあっては、キャップ部１８を蓋ケース部１４と独立して回動させる必要がなく、蓋ケース部１４の回動動作のみを行うことによってキャップ部１８を連動して回動させ、芯部１５を消火することができる。
【００４１】
この際、図４及び図５に示すように、本実施の形態に係るライター１０にあっては、蓋ケース部１４を閉止させた場合には、アーム係止部２２がアーム部１９の幅方向に突設された回動係合部２１に係合することによってアーム部１９を回動させるので、アーム係止部２２がライター本体部１２に干渉することなく、アーム部１９を確実に回動させることができる。
【００４２】
また、図４に示すように、本実施の形態に係るライター１０にあっては、蓋ケース部１４を閉止させた場合には、カム従節部２９の頂部５０はアーム部１９の回動に連動して、カム原節部３０上を摺動しながら、カム原節部３０の頂部４５を乗り越える。
すなわち、図３に示すように、蓋ケース部１４の開放時においては、カム原節部３０は、カム従節部２９の反キャップ本体部側側面部４４に当接し、カム原節部３０の頂部５０は、回動軸部１７よりも本体ケース部１１の幅方向内方に位置して、アーム付勢部２３の付勢力は図３中上方へ付勢されていることから、アーム付勢部２３の付勢力はアーム部１９を回動軸部１７を中心として反時計方向へ回動させる力として作用し、キャップ本体部２０を芯ホルダー部１６から離間する方向へ付勢した状態でアーム部１９を固定している。
一方、図５に示すように、蓋ケース部１４の閉止後においては、アーム部１９が回動軸部１７を中心に時計方向へ回動することにより、頂部５０は図５中左方向へ移動し、回動軸部１７の直下位置を通過して頂部４５を乗り越えた時点でアーム付勢部２３の付勢力によりアーム部１９は時計方向へ自動的に回動し、その後、カム原節部３０は、カム従節部２９のキャップ本体部側側面部４６に当接する。
その結果、図５に示すように、カム原節部３０を構成するアーム付勢部２３は、カム原節部３０と圧接するカム従節部２９のキャップ本体部側側面部４６を圧接方向と反対方向（図５中上方）へ回動させるように矢印Ａ方向へ付勢するので、キャップ本体部２０を芯ホルダー部１６に当接する方向へとアーム部１９を付勢することができる。
従って、図５に示すように、本実施の形態に係るライター１０にあっては、キャップ本体部２０を芯ホルダー部１６に当接した状態を維持することができ、その結果、芯部１５からのオイルの揮発を効果的に防止することができる。
【００４３】
またさらに、図５に示すように、本実施の形態に係るライター１０において、蓋ケース部１４の閉止時には、キャップ本体部２０は、コイルスプリング３１によってキャップ本体部２０が芯ホルダー部１６に当接する方向へ付勢されるので、キャップ本体部２０は芯ホルダー部１６に圧接するため、キャップ本体部２０は芯ホルダー部１６との間で気密状態を形成することができ、芯部１５を確実に消火することができる。
【００４４】
以上より、本実施の形態に係るライター１０にあっては、キャップ部１８が蓋ケース部１４とは別箇に設けられているので、ライター本体部１２と、本体ケース部１１及び蓋ケース部１４とを分離することができる。その結果、ケースの加工を容易にすることができるライターを提供することができる。
【産業上の利用可能性】
【００４５】
本考案は、ライターに広く適用可能であり、産業上利用可能性を有している。
【符号の説明】
【００４６】
１０：ライター
１１：本体ケース部
１２：ライター本体部
１３：ケースヒンジ部
１４：蓋ケース部
１５：芯部
１６：芯ホルダー部
１７：回動軸部
１８：キャップ部
１９：アーム部
２０：キャップ本体部
２１：回動係合部
２２：アーム係止部
２３：アーム付勢部
２４：基端側アーム部の基端部
２５：基端側アーム部
２６：基端側アーム部の先端部（接合部）
２７：先端側アーム部の先端部
２８：先端側アーム部
２９：カム従節部
３０：カム原節部
３１：コイルスプリング
３２：通気孔部
３３：風防
３４：フリント
３５：軸部
３６：フリントホイール
３７：アーム係止部の基端部
３８：アーム係止部の先端部
３９：アーム付勢部の基端部
４０：リベット
４１：リベットの先端部
４２、４３：通孔
４４：反キャップ本体部側側面部
４５：頂部
４６：キャップ本体部側側面部
５０：頂部
Ａ、Ｂ：矢印
Ｆ：炎
【図１】
0003203560.tif 000003
【図２】
0003203560.tif 000004
【図３】
0003203560.tif 000005
【図４】
0003203560.tif 000006
【図５】
0003203560.tif 000007
【手続補正書】
【提出日】平成28年2月3日(2016.2.3)
【手続補正１】
【補正対象書類名】実用新案登録請求の範囲
【補正対象項目名】請求項２
【補正方法】変更
【補正の内容】
【請求項２】
前記キャップ部は、前記ライター本体部上部に設けられた前記回動軸部に回動可能に軸着されたアーム部と、前記アーム部の先端部に固定され、消火時には前記芯ホルダー部に当接して前記芯部を内部に収納して消火するキャップ本体部とを備え、
前記アーム部には回動係合部が設けられると共に、前記蓋ケース部には、前記蓋ケース部が前記本体ケース部を閉止又は開放するために回動する際に、前記回動係合部に係合して前記アーム部を回動させうるアーム係止部が設けられ、
前記蓋ケース部を回動させた場合には、前記キャップ部が前記蓋ケース部と共に連動して回動することを特徴とする請求項１記載のライター。
【手続補正２】
【補正対象書類名】実用新案登録請求の範囲
【補正対象項目名】請求項６
【補正方法】変更
【補正の内容】
【請求項６】
前記キャップ本体部は円筒状に形成されると共に、前記先端側アーム部には、常時前記キャップ本体部を先端方向に向かって付勢する付勢部材を介して固定されていることを特徴とする請求項４記載のライター。